【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素の画素値が少なくとも一つの色成分で補正対象画素の画素値と異なる値を有する場合に、補正対象画素の画素値を補正することを特徴とする画像処理方法。
【請求項２】
カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素の画素値が少なくとも一つの色成分で補正対象画素の画素値より大きな値を有する場合に、補正対象画素の画素値を補正することを特徴とする画像処理方法。
【請求項３】
カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素が少なくとも一つの色成分で補正対象画素の画素値より小さな値を有する場合に、補正対象画素の画素値を補正することを特徴とする画像処理方法。
【請求項４】
カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素が少なくとも一つの色成分で補正対象画素の画素値と異なる値を有し、さらに、前記他方の画素に隣接し、且つ前記他方の画素からみて補正対象画素の反対側に位置する画素の画素値が各々の色成分毎に補正対象画素の画素値と同一の値を有する場合に、補正対象画素の画素値を補正することを特徴とする画像処理方法。
【請求項５】
カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素が少なくとも一つの色成分で補正対象画素の画素値より大きな値を有し、さらに、前記他方の画素に隣接し、且つ前記他方の画素からみて補正対象画素の反対側に位置する画素の画素値が各々の色成分毎に補正対象画素の画素値と同一の値を有する場合に、補正対象画素の画素値を補正することを特徴とする画像処理方法。
【請求項６】
カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素が少なくとも一つの色成分で補正対象画素の画素値より小さな値を有し、さらに、前記他方の画素に隣接し、且つ前記他方の画素からみて補正対象画素の反対側に位置する画素の画素値が各々の色成分毎に補正対象画素の画素値と同一の値を有する場合に、補正対象画素の画素値を補正することを特徴とする画像処理方法。
【請求項７】
前記補正対象画素に隣接する前記他方の画素の画素値と前記補正対象画素の画素値との差に対応した値を補正値とし、前記補正値を前記補正対象画素の画素値に付加することで、前記補正対象画素の画素値を補正することを特徴とする請求項１乃至６のいずれか１項に記載の画像処理方法。
【請求項８】
複数方向にて補正条件を満たした場合に、満たした方向のうちのより小さい補正値を用いて補正対象画素の画素値を補正することを特徴とする請求項７に記載の画像処理方法。
【請求項９】
複数方向にて補正条件を満たした場合に、満たした方向のうちのより大きい補正値を用いて補正対象画素の画素値を補正することを特徴とする請求項７に記載の画像処理方法。
【請求項１０】
複数方向にて補正条件を満たした場合に、満たした方向の組合せにより、予め定められた方向の補正値を用いて補正対象画素の画素値を補正することを特徴とする請求項７に記載の画像処理方法。
【請求項１１】
複数方向にて補正条件を満たした場合に、満たした複数方向の補正値の中間値を用いて補正対象画素の画素値を補正することを特徴とする請求項７に記載の画像処理方法。
【請求項１２】
請求項１乃至１１のいずれか１項に記載の画像処理方法を実施していることを特徴とする画像表示装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項１の発明は、カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素の画素値が少なくとも一つの色成分で補正対象画素の画素値と異なる値を有する場合に、補正対象画素の画素値を補正することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２の発明は、カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素の画素値が少なくとも一つの色成分で補正対象画素の画素値より大きな値を有する場合に、補正対象画素の画素値を補正することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項３の発明は、カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素が少なくとも一つの色成分で補正対象画素の画素値より小さな値を有する場合に、補正対象画素の画素値を補正することを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
請求項４の発明は、カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素が少なくとも一つの色成分で補正対象画素の画素値と異なる値を有し、さらに、前記他方の画素に隣接し、且つ前記他方の画素からみて補正対象画素の反対側に位置する画素の画素値が各々の色成分毎に補正対象画素の画素値と同一の値を有する場合に、補正対象画素の画素値を補正することを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
請求項５の発明は、カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素が少なくとも一つの色成分で補正対象画素の画素値より大きな値を有し、さらに、前記他方の画素に隣接し、且つ前記他方の画素からみて補正対象画素の反対側に位置する画素の画素値が各々の色成分毎に補正対象画素の画素値と同一の値を有する場合に、補正対象画素の画素値を補正することを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
請求項６の発明は、カラー画像データを入力し、複数の色成分で構成される各画素を補正対象画素として、少なくとも一方向に対して、補正対象画素に隣接する一方の画素の画素値と補正対象画素の画素値が各々の色成分毎に同一であり、他方の画素が少なくとも一つの色成分で補正対象画素の画素値より小さな値を有し、さらに、前記他方の画素に隣接し、且つ前記他方の画素からみて補正対象画素の反対側に位置する画素の画素値が各々の色成分毎に補正対象画素の画素値と同一の値を有する場合に、補正対象画素の画素値を補正することを特徴とする。
【手続補正１４】
【補正対象書類名】明細書
【補正対象項目名】００２０
【補正方法】変更
【補正の内容】
【００２０】
請求項７の発明は、前記補正対象画素に隣接する前記他方の画素の画素値と前記補正対象画素の画素値との差に対応した値を補正値とし、前記補正値を前記補正対象画素の画素値に付加することで、前記補正対象画素の画素値を補正することを特徴とする。
【手続補正１５】
【補正対象書類名】明細書
【補正対象項目名】００２１
【補正方法】変更
【補正の内容】
【００２１】
請求項８の発明は、複数方向にて補正条件を満たした場合に、満たした方向のうちのより小さい補正値を用いて補正対象画素の画素値を補正することを特徴とする。
【手続補正１６】
【補正対象書類名】明細書
【補正対象項目名】００２２
【補正方法】変更
【補正の内容】
【００２２】
請求項９の発明は、複数方向にて補正条件を満たした場合に、満たした方向のうちのより大きい補正値を用いて補正対象画素の画素値を補正することを特徴とする。
【手続補正１７】
【補正対象書類名】明細書
【補正対象項目名】００２３
【補正方法】変更
【補正の内容】
【００２３】
請求項１０の発明は、複数方向にて補正条件を満たした場合に、満たした方向の組合せにより、予め定められた方向の補正値を用いて補正対象画素の画素値を補正することを特徴とする。
【手続補正１８】
【補正対象書類名】明細書
【補正対象項目名】００２４
【補正方法】変更
【補正の内容】
【００２４】
請求項１１の発明は、複数方向にて補正条件を満たした場合に、満たした複数方向の補正値の中間値を用いて補正対象画素の画素値を補正することを特徴とする。
【手続補正１９】
【補正対象書類名】明細書
【補正対象項目名】００２５
【補正方法】変更
【補正の内容】
【００２５】
請求項１２の発明は、請求項１乃至１１のいずれか１項に記載の画像処理方法を実施してなる画像表示装置を特徴とする。
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
請求項１の発明では、少なくとも一方向に対して、補正対象画素に隣接する一方の画素の画素値と補正対象画素の画素値が各々の色成分毎に同一であり、他方の画素の画素値が少なくとも一つの色成分で補正対象画素の画素値と異なる値を有する場合に、補正対象画素の画素値を補正するように、色成分の処理の条件を合わせることにより、複数の色成分の表示において、色のにじみが発生させず、隣接画素の表示への影響を低減し、コントラストが向上した見易い画像を表示することができる。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】変更
【補正の内容】
【００２９】
請求項２の発明では、色成分の処理の条件を合わせ、補正対象画素と隣接した異なる値を有する画素が、補正対象画素の画素値より大きな値を有する場合に処理を限定することにより、周囲よりも明るい画像の沈み込みを押さえた見易い複数の色成分の画像を表示することができる。
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】変更
【補正の内容】
【００３１】
請求項３の発明では、色成分の処理の条件を合わせ、補正画素と隣接した異なる値を有する画素が、補正対象画素の画素値より小さな値を有する場合に処理を限定することにより、周囲よりも暗い画像の浮き上がりを押さえた見易い画像を表示することができる。
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】変更
【補正の内容】
【００３３】
請求項４の発明では、少なくとも一方向に対して、補正対象画素に隣接する一方の画素の画素値と補正対象画素の画素値が各々の色成分毎に同一であり、他方の画素が少なくとも一つの色成分で補正対象画素の画素値と異なる値を有し、さらに、前記他方の画素に隣接し、且つ前記他方の画素からみて補正対象画素の反対側に位置する画素の画素値が各々の色成分毎に補正対象画素の画素値と同一の値を有する場合に、補正対象画素の画素値を補正するように、色成分の処理の条件を合わせ、隣接画素の表示への影響を最も受ける一画素ピッチの画像を補正することで、複数の色成分の表示で色のにじみが発生させずに、コントラストの向上した見易い画像を表示することができる。
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】変更
【補正の内容】
【００３５】
請求項５の発明では、色成分の処理の条件を合わせ、補正対象画素と隣接した異なる値を有する画素が、補正対象画素の画素値より大きな値を有する場合に処理を限定し、隣接画素の表示への影響を最も受ける一画素ピッチの画像を補正することで、周囲よりも明るい画像の沈み込みを押さえた見易い複数の色成分の画像を表示することができる。
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】変更
【補正の内容】
【００３７】
請求項６の発明では、色成分の処理の条件を合わせ、補正対象画素と隣接した異なる値を有する画素が、補正対象画素の画素値より小さな値を有する場合に処理を限定し、隣接画素の表示への影響を最も受ける一画素ピッチの画像を補正することで、周囲よりも暗い画像の浮き上がりを押さえた見易い画像を表示することができる。
【手続補正３２】
【補正対象書類名】明細書
【補正対象項目名】００３８
【補正方法】変更
【補正の内容】
【００３８】
請求項７の発明では、補正対象画素の画素値に最も近い補正対象画素に隣接する補正対象画素と異なる値を有する画素の値と補正対象画素との差を用いて補正対象画素の画素値を補正することにより、参照画素と補正対象画素の画素値の関係が逆転することなく、画像の状況に応じた良好な補正を行うことができる。
【手続補正３３】
【補正対象書類名】明細書
【補正対象項目名】００３９
【補正方法】変更
【補正の内容】
【００３９】
請求項８の発明では、複数方向にて補正条件を満たした場合、より小さい補正値（補正対象画素の画素値と参照画素値の差が小さい方）を用いて補正することで、効果が大きくなり過ぎることなく、表示画像のコントラストを向上させることができる。
【手続補正３４】
【補正対象書類名】明細書
【補正対象項目名】００４０
【補正方法】変更
【補正の内容】
【００４０】
請求項９の発明では、同じく複数方向にて補正条件を満たした場合、より大きい補正値を用いて補正することで、補正処理の効果が大きくなり、表示画像のコントラストを向上させることができる。
【手続補正３５】
【補正対象書類名】明細書
【補正対象項目名】００４１
【補正方法】変更
【補正の内容】
【００４１】
請求項１０の発明では、同じく複数方向にて補正条件を満たした場合、方向の組合せにより、予め定めた方向の補正値を用いて補正することで、処理が簡略になり回路規模が小さい低コストでありながら、表示画像のコントラストを向上させることができる。
【手続補正３６】
【補正対象書類名】明細書
【補正対象項目名】００４２
【補正方法】変更
【補正の内容】
【００４２】
請求項１１の発明では、同じく複数方向にて補正条件を満たした場合、補正条件を満たした複数方向の補正値の中間値の第一の参照画素値を用いて補正することで、処理が簡略になり回路規模が小さく低コストでありながら、表示画像のコントラストを補正条件を満たした複数方向で向上させることができる。
【手続補正３７】
【補正対象書類名】明細書
【補正対象項目名】００４３
【補正方法】変更
【補正の内容】
【００４３】
請求項１２の発明では、高コストになることなく、表示面上で隣接する画素同士が互いに影響を及ぼす現象を軽減して本来の表示に近付け、より見易い画像を表示する画像表示装置を提供できる。